(57)【要約】【課題】水冷塔、浴槽配管などの水と接触する部材を含んだ装置、設備などの水系システムで生じたバイオフィルムを効果的に除去できる、水系システム用バイオフィルム除去用組成物を提供する。【解決手段】下記（ａ）成分、（ｂ）成分、（ｃ）成分及び水を含有し、２０℃でのｐＨが２．５以上６．５以下である、水系システム用バイオフィルム除去用組成物。（ａ）成分：ヒドロキシルラジカル生成能を有する化合物（ｂ）成分：還元剤（ｃ）成分：第一解離定数が１．２以上４．６以下の、１価又は２価の有機酸又はその塩【選択図】なし【特許請求の範囲】
【請求項１】
下記（ａ）成分、下記（ｂ）成分、下記（ｃ）成分及び水を含有し、２０℃でのｐＨが２．５以上６．５以下である、水系システム用バイオフィルム除去用組成物。
（ａ）成分：ヒドロキシルラジカル生成能を有する化合物
（ｂ）成分：還元剤
（ｃ）成分：第一解離定数が１．２以上４．６以下の、１価又は２価の有機酸又はその塩
【請求項２】
（ａ）成分が、過酸化水素、過炭酸塩、及び有機過酸から選ばれる１種以上である、請求項１に記載の水系システム用バイオフィルム除去用組成物。
【請求項３】
（ｂ）成分が、アスコルビン酸又はその塩、天然物から抽出したビタミンＣ、タンニン酸、エリソルビン酸又はその塩、アスコルビン酸誘導体又はその塩、ハイドロサルファイト、ピロ亜硫酸塩、亜硫酸塩、亜硫酸水素塩、チオ硫酸塩、二酸化チオ尿素、Ｎ，Ｎ−ジエチルヒドロキシルアミン、没食子酸、メチルヒドロキノン、ジメチルヒドロキノン、トリメチルヒドロキノン、ｔ−ブチルヒドロキノン、メトキシヒドロキノン、クロロヒドロキノンから選ばれる１種以上である、請求項１又は２に記載の水系システム用バイオフィルム除去用組成物。
【請求項４】
（ｃ）成分が、分子量７０以上２００以下の炭素数２又は３のヒドロキシモノカルボン酸、分子量７０以上２００以下の炭素数３又は４のジカルボン酸、分子量７０以上２００以下の炭素数５以上８以下ヒドロキシカルボン酸、及びこれらの塩から選ばれる１種以上の有機酸又はその塩である、請求項１〜３の何れか１項記載の水系システム用バイオフィルム除去用組成物。
【請求項５】
（ｃ）成分が、マロン酸、リンゴ酸、３−ヒドロキシプロピオン酸、コハク酸、乳酸、酒石酸、グリコール酸、マレイン酸、フマル酸、グルコン酸、及びこれらの塩から選ばれる１種以上の有機酸又はその塩である、請求項１〜４の何れか１項に記載の水系システム用バイオフィルム除去用組成物。
【請求項６】
（ａ）成分の濃度が５０ｐｐｍ以上５０００ｐｐｍ以下、（ｂ）成分の濃度が５０ｐｐｍ以上５００００ｐｐｍ以下、（ｃ）成分の濃度が５０ｐｐｍ以上５０００ｐｐｍ以下である、請求項１〜５の何れか１項に記載の水系システム用バイオフィルム除去用組成物。
【請求項７】
（ａ）成分の濃度が５０ｐｐｍ以上５０００ｐｐｍ以下、（ｂ）成分の濃度が５０ｐｐｍ以上５０００ｐｐｍ以下、（ｃ）成分の濃度が５０ｐｐｍ以上５０００ｐｐｍ以下である、請求項１〜６の何れか１項に記載の水系システム用バイオフィルム除去用組成物。
【請求項８】
水系システムが、水冷式水冷塔を備えた冷却システムである、請求項１〜７の何れか１項に記載の水系システム用バイオフィルム除去用組成物。
【請求項９】
水系システムが、水の流通経路を含む、請求項１〜７の何れか１項に記載の水系システム用バイオフィルム除去用組成物。
【請求項１０】
下記（ａ）成分、下記（ｂ）成分、及び下記（ｃ）成分から選ばれる成分を含む複数の剤から構成されるキットであって、該キットは請求項１〜８の何れか１項に記載の水系システム用バイオフィルム除去用組成物を製造するためのキットであり、下記（ａ）成分と下記（ｂ）成分が別の剤に含まれている、キット。
（ａ）成分：ヒドロキシルラジカル生成能を有する化合物
（ｂ）成分：還元剤
（ｃ）成分：第一解離定数が１．２以上４．６以下の、１価又は２価の有機酸又はその塩
【発明の詳細な説明】
【技術分野】
【０００１】
本発明は、水系システム用バイオフィルム除去用組成物に関する。
【背景技術】
【０００２】
バイオフィルムは生物膜又はスライムともいわれ、一般に菌等の微生物が物質の表面に付着して増殖する際に、微生物が産生する多糖、タンパク質及び核酸などの高分子物質により微生物を包み込むように形成された構造体を指す。バイオフィルムが形成されると、微生物による種々の問題が発生するため、様々な産業分野で問題となっている。例えば、食品プラントの配管内にバイオフィルムが形成されると、このバイオフィルムが剥がれ落ちて製品内へ異物として混入されたり、菌に由来する毒素により食中毒が発生する原因となったりする。更に、金属表面へのバイオフィルム形成は金属腐食の原因となり、設備の老朽化を促進する。
【０００３】
水冷式冷却塔を用いた工場設備やビルの冷却システムや、冷却プールなど、水媒体を利用したシステムが従来使用されている。このようなシステムにおいて、使用する水の微生物汚染は問題である。例えば、水冷式冷却塔を用いた冷却システムにおいて、冷却水に混入した微生物は、配管中、特に熱交換器においてバイオフィルムを形成する。熱交換器に形成されたバイオフィルムは、熱交換の効率を低下させ、冷却システムの電力使用量を増加させる。バイオフィルム形成防止のためには、定期的な水の入れ替えや清掃が必要であるが、これらはシステムのメンテナンスコストを上昇させる。水冷式冷却塔などの冷却水を用いる設備や装置などでは、冷却水にスライムコントロール剤と呼ばれる微生物殺菌剤や増殖抑制剤を添加して、バイオフィルムを抑制することも行われることがあるが、安全性、金属配管の腐食、薬剤コストなどの観点からは、スライムコントロール剤を用いない処理の方が望ましい。
【０００４】
微生物により被る汚染などへの対策として、従来、種々の提案がされている。
特許文献１には、ビタミン、金属イオン、表面活性化合物、及び所定の抗微生物性作用物質を含む消毒−及び汚染除去剤を、バイオフィルムの分解のために使用できることが開示されている。
特許文献２には、冷却塔で冷却された冷却水が熱交換器に循環通水され、該冷却塔に補給水が供給される冷却水系におけるバイオフィルムを防止する方法において、補給水中のリン酸を除去し、かつ防食剤として非リン系防食剤を用いる、冷却水系における水処理方法が開示されている。
特許文献３には、内部オレフィンスルホン酸塩を１質量％以上、４０質量％以下含有する硬質表面用バイオフィルム除去剤組成物が開示されている。
特許文献４には、特定の環状アルデヒド化合物と有機溶媒とを含有するバイオフィルム形成抑制用組成物が開示されている。
特許文献５には、バイオフィルムにより影響される表面を、界面活性剤水酸化物の容量モル濃度が２〜９の所定の水性アルカリ界面活性剤組成物と接触させる工程を含む、処理方法が開示されている。
【先行技術文献】
【特許文献】
【０００５】
【特許文献１】特表２０１２−５１２１９９号公報
【特許文献２】特開２０１６−１０２２２７号公報
【特許文献３】特開２０１６−０３５００９号公報
【特許文献４】特開２０１８−１６８０９７号公報
【特許文献５】特表２０１７−５１８４３２号公報
【発明の概要】
【発明が解決しようとする課題】
【０００６】
本発明は、水冷塔、浴槽配管などの水と接触する部材を含んだ装置、設備などの水系システムで生じたバイオフィルムを効果的に除去できる、水系システム用バイオフィルム除去用組成物を提供する。
【課題を解決するための手段】
【０００７】
本発明は、下記（ａ）成分、下記（ｂ）成分、下記（ｃ）成分及び水を含有し、２０℃でのｐＨが２．５以上６．５以下である、水系システム用バイオフィルム除去用組成物に関する。
（ａ）成分：ヒドロキシルラジカル生成能を有する化合物
（ｂ）成分：還元剤
（ｃ）成分：第一解離定数が１．２以上４．６以下の、１価又は２価の有機酸又はその塩
【０００８】
また、本発明は、前記（ａ）成分、前記（ｂ）成分、及び前記（ｃ）成分から選ばれる成分を含む複数の剤から構成されるキットであって、該キットは前記本発明の水系システム用バイオフィルム除去用組成物を製造するためのキットであり、前記（ａ）成分と前記（ｂ）成分が別の剤に含まれている、キットに関する。
【発明の効果】
【０００９】
本発明によれば、水系システムで生じたバイオフィルムを効果的に除去できる、水系システム用バイオフィルム除去用組成物が提供される。
【発明を実施するための形態】
【００１０】
＜水系システム用バイオフィルム除去用組成物＞
本発明の水系システム用バイオフィルム除去用組成物による効果発現機作は、必ずしも全てが解明されたわけではないが、以下のように考えられる。本発明者らは、水系システム中のバイオフィルムがヒドロキシルラジカルによって分解あるいは水中に分散することによって設備からのバイオフィルム除去に寄与できることを見出した。ヒドロキシルラジカルと設備に形成しているバイオフィルムとの作用効率において、バイオフィルム表面にヒドロキシルラジカルが存在しても効率が悪く、設備に形成しているバイオフィルム内部に広くヒドロキシルラジカルを発生させることができれば高いバイオフィルム除去効率が期待できる。本発明の水系システム用バイオフィルム除去用組成物は、ヒドロキシルラジカルの生成触媒としても作用し得る金属イオンを本質的に含まなくてもよいため水系システムに流通、循環、滞留等する水中に溶解しても瞬間的にヒドロキシルラジカルを生成することがなく、本発明の（ａ）成分、（ｂ）成分、（ｃ）成分はいずれも低分子であるため設備に形成しているバイオフィルム内部に広く移動しやすい。バイオフィルム内部には設備素材や水系システムに供給される水に起因する金属イオンが塩や酸化物等として水に不溶化して蓄積されているが、特定のｐＨ領域を持つ本発明の組成物においてにおいて、特定の構造の有機酸（（ｃ）成分）が錯形成することによりバイオフィルム中に存在する不溶化した金属が水溶化し、近傍に存在すると考えられる還元剤（（ｂ）成分）と反応し還元された金属イオンとなる（例えば、Ｆｅ３＋→Ｆｅ２＋）。この還元された金属イオンと近傍に存在すると考えられるヒドロキシルラジカル生成能を有する化合物（（ａ）成分）がフェントン様反応することによりヒドロキシルラジカルを生成し、バイオフィルムを分解あるいは水中に分散できる程度の大きさにちぎれていくものと考えられる。フェントン様反応によって酸化された金属イオンは更に（ｂ）成分により還元されるため、（ａ）成分との間でのフェントン様反応が連続的に起こるため持続的にバイオフィルム除去効果が発現するものと考えられる。以上のように本発明の水系システム用バイオフィルム除去用組成物では水中で爆発的にヒドロキシルラジカルの生成が起こらず、むしろバイオフィルム中に蓄積された微量な金属イオンを利用するがためにバイオフィルムの広範囲な場所で連続的に起こるヒドロキシルラジカルの生成により効率的なバイオフィルム除去効果が得られるものと考えられる。
尚、本発明の効果は上記作用機作に制限されるものではない。
【００１１】
〔（ａ）成分〕
（ａ）成分は、ヒドロキシルラジカル生成能を有する化合物である。
（ａ）成分としては、フェントン様反応によりヒドロキシルラジカルを生成する化合物が挙げられる。
（ａ）成分としては、過酸化水素、過炭酸塩、及び有機過酸から選ばれる１種以上の化合物が挙げられ、入手容易性、経済性及びヒドロキシルラジカル生成能の観点から、過酸化水素及び過炭酸塩から選ばれる１種以上の化合物が好ましい。過炭酸塩としては、過炭酸ナトリウム、過炭酸カリウムなどの過炭酸アルカリ金属塩が挙げられ、入手容易性、経済性及びヒドロキシルラジカル生成能の観点から、過炭酸ナトリウムが好ましい。
【００１２】
〔（ｂ）成分〕
（ｂ）成分は、還元剤である。
（ｂ）成分は、金属、例えば鉄の還元作用を有する化合物であってよい。尚、本発明の（ｂ）成分が還元作用を及ぼす金属は、還元されうる状態の金属を示す。
（ｂ）成分としては、
（ｂ−１）エンジオール構造を有する化合物：例えばアスコルビン酸又はその塩、天然物から抽出したビタミンＣ、タンニン酸、エリソルビン酸又はその塩、
（ｂ−２）ヒドロキシルアミン：例えばＮ，Ｎ−ジエチルヒドロキシルアミン、
（ｂ−３）フェノール系還元剤：例えば没食子酸、メチルヒドロキノン、ジメチルヒドロキノン、トリメチルヒドロキノン、ｔ−ブチルヒドロキノン、メトキシヒドロキノン、クロロヒドロキノン、
（ｂ−４）その他の還元剤：アスコルビン酸誘導体又はその塩、ハイドロサルファイト、ピロ亜硫酸塩、亜硫酸塩、亜硫酸水素塩、チオ硫酸塩、二酸化チオ尿素、
から選ばれる１種以上の化合物が挙げられる。これらの化合物の塩としては、ナトリウム、カリウムなどのアルカリ金属塩、カルシウム塩などのアルカリ土類金属塩が挙げられる。
（ｂ）成分としては、入手容易性及びバイオフィルムの除去効果を高める（以下、バイオフィルム除去性ともいう）観点から、アスコルビン酸又はその塩が好ましい。
【００１３】
〔（ｃ）成分〕
（ｃ）成分は、第一解離定数（以下、ｐＫａ１という）が１．２以上４．６以下の、１価又は２価の有機酸又はその塩である。かかる有機酸又はその塩のうち、還元作用を有する化合物は、（ｂ）成分として取り扱う。
【００１４】
（ｃ）成分のｐＫａ１は、バイオフィルム除去性の観点から、好ましくは１．８以上、より好ましくは２．５以上、そして、好ましくは３．３以下である。
【００１５】
（ｃ）成分の有機酸の分子量は、バイオフィルム除去性の観点から、例えば、７０以上更に７５以上、更に９５以上、そして、２００以下、更に１８０以下、更に１６５以下、更に１６０以下であってよい。（ｃ）成分の有機酸は、炭素数は、バイオフィルム除去性の観点から、好ましくは２以上、そして、好ましくは８以下、より好ましくは６以下、更に好ましくは４以下である。（ｃ）成分の有機酸は、バイオフィルム除去性の観点から、カルボン酸が好ましく、モノカルボン酸又はジカルボン酸がより好ましい。
【００１６】
（ｃ）成分としては、分子量７０以上２００以下、更に１８０以下の炭素数２又は３のヒドロキシモノカルボン酸、分子量７０以上２００以下、更に１８０以下の炭素数３又は４のジカルボン酸、分子量７０以上２００以下の炭素数５以上８以下のヒドロキシカルボン酸、及びこれらの塩から選ばれる１種以上の有機酸又はその塩が挙げられる。
【００１７】
分子量７０以上２００以下の炭素数２又は３のヒドロキシモノカルボン酸としては、グリコール酸（ｐＫａ１：３．８３、Ｍｗ：７６．１）、乳酸（ｐＫａ１：３．８６、Ｍｗ：９０．１）、３−ヒドロキシプロピオン酸（ｐＫａ１：４．５、Ｍｗ：９０．１）が挙げられる。
【００１８】
分子量７０以上２００以下の炭素数３又は４のジカルボン酸としては、酒石酸（ｐＫａ１：２．９８、Ｍｗ：１５０．１）、フマル酸（ｐＫａ１：３．０２、Ｍｗ：１１６．１）、マレイン酸（ｐＫａ１：１．９２、Ｍｗ：１１６．１）、リンゴ酸（ｐＫａ１：３．４、Ｍｗ：１３４．１）、コハク酸（ｐＫａ１：４．１９、Ｍｗ：１１８．１）、マロン酸（ｐＫａ１：２．９、Ｍｗ：１０４．１）が挙げられる。
【００１９】
分子量７０以上２００以下の炭素数５以上８以下ヒドロキシカルボン酸としては、グルコン酸（ｐＫａ１：３．８６、Ｍｗ：１９６）が挙げられる。
【００２０】
（ｃ）成分は、バイオフィルム除去性の観点から、マロン酸、リンゴ酸、３−ヒドロキシプロピオン酸、コハク酸、乳酸、酒石酸、グリコール酸、マレイン酸、フマル酸、グルコン酸、及びこれらの塩から選ばれる１種以上の有機酸又はその塩が好ましい。
（ｃ）成分は、バイオフィルム除去性の観点から、酒石酸、フマル酸、マレイン酸、グルコン酸、及びこれらの塩から選ばれる１種以上の有機酸又はその塩がより好ましい。
【００２１】
（ｃ）成分の有機酸の塩としては、ナトリウム、カリウムなどのアルカリ金属塩、カルシウムなどのアルカリ土類金属塩が挙げられる。
【００２２】
〔組成、任意成分等〕
本発明の水系システム用バイオフィルム除去用組成物は、組成物の形態などを考慮して（ａ）成分、（ｂ）成分、（ｃ）成分の濃度を設定できる。
本発明の水系システム用バイオフィルム除去用組成物では、（ａ）成分の濃度は、上限値と下限値とを、例えば、５０ｐｐｍ以上、更に６０ｐｐｍ以上、更に８０ｐｐｍ以上、そして、５０００ｐｐｍ以下、更に３０００ｐｐｍ以下、更に１０００ｐｐｍ以下、更に６００ｐｐｍ以下、更に５００ｐｐｍ以下から選択して組み合わせて設定することができる。
本発明の水系システム用バイオフィルム除去用組成物では、（ｂ）成分の濃度は、上限値と下限値とを、例えば、５０ｐｐｍ以上、更に６０ｐｐｍ以上、更に８０ｐｐｍ以上、そして、５００００ｐｐｍ以下、更に３００００ｐｐｍ以下、更に１００００ｐｐｍ以下、更に５０００ｐｐｍ以下、更に３０００ｐｐｍ以下、更に１０００ｐｐｍ以下、更に６００ｐｐｍ以下、更に５００ｐｐｍ以下から選択して組み合わせて設定することができる。
本発明の水系システム用バイオフィルム除去用組成物では、（ｃ）成分の濃度は、上限値と下限値とを、例えば、５０ｐｐｍ以上、更に６０ｐｐｍ以上、更に８０ｐｐｍ以上、そして、５０００ｐｐｍ以下、更に３０００ｐｐｍ以下、更に１０００ｐｐｍ以下、更に６００ｐｐｍ以下、更に５００ｐｐｍ以下から選択して組み合わせて設定することができる。
【００２３】
本発明の水系システム用バイオフィルム除去用組成物は、バイオフィルム除去性の観点から、（ａ）成分の濃度と（ｂ）成分の濃度の質量比である（ａ）／（ｂ）が、好ましくは０．０１以上、より好ましくは０．１以上、そして、好ましくは１００以下、より好ましくは１０以下である。
【００２４】
本発明の水系システム用バイオフィルム除去用組成物は、バイオフィルム除去性の観点から、（ａ）成分の濃度と（ｃ）成分の濃度の質量比である（ａ）／（ｃ）が、好ましくは０．０１以上、より好ましくは０．１以上、そして、好ましくは１００以下、より好ましくは１０以下、更に好ましくは９．５以下、より更に好ましくは４．５以下、より更に好ましくは１．５以下、より更に好ましくは０．５以下である。
【００２５】
本発明の水系システム用バイオフィルム除去用組成物は、バイオフィルム除去性の観点から、（ｂ）成分の濃度と（ｃ）成分の濃度の質量比である（ｂ）／（ｃ）が、好ましくは０．０１以上、より好ましくは０．１以上、そして、好ましくは１００以下、より好ましくは１０以下である。
【００２６】
本発明の水系システム用バイオフィルム除去用組成物は、界面活性剤の濃度が低くても優れたバイオフィルム除去効果を示す。例えば、本発明の水系システム用バイオフィルム除去用組成物は、界面活性剤の濃度が、１００ｐｐｍ未満、更に５０ｐｐｍ以下、更に１０ｐｐｍ以下、更に０ｐｐｍであってよい。本発明の水系システム用バイオフィルム除去用組成物は、界面活性剤を実質的に含有しないものであってよい。ここで、界面活性剤を実質的に含有しないとは、界面活性剤の濃度が前記範囲であることを意味してよい。
【００２７】
本発明の水系システム用バイオフィルム除去用組成物は、フェントン様反応に関与する金属イオン、具体的には、鉄、スカンジウム、チタン、バナジウム、クロム、マンガン、コバルト、ニッケル、銅から選ばれる金属のイオン、更には金属イオンを含有しないもの又は実質的に含有しないものであってよい。ここで、前記金属イオンを実質的に含有しないとは、前記金属イオンを含有していたとしてもその量が極めて微量であり、フェントン様反応が十分に生じない状態の意味であってよい。
【００２８】
本発明の水系システム用バイオフィルム除去用組成物は、水を含有する。
本発明の水系システム用バイオフィルム除去用組成物は、水を含有する液体組成物であることが好ましい。
【００２９】
本発明の水系システム用バイオフィルム除去用組成物は、２０℃のｐＨが、機材損傷防止の観点で、２．５以上、好ましくは３．０以上、そして、バイオフィルム除去効果の観点で、６．５以下、好ましくは５．５以下である。
【００３０】
本発明の水系システム用バイオフィルム除去用組成物は、例えば、（ａ）成分を１００ｐｐｍ含有する組成での２０℃のｐＨが、機材損傷防止の観点で、２．５以上、好ましくは３．０以上、そして、バイオフィルム除去効果の観点で、６．５以下、好ましくは５．５以下であってよい。
【００３１】
本発明の対象となる水系システムは、水系液体との接触が起こるシステムであれば特に限定されるものではないが、例えば水系液体の流通や貯留によって機能するシステムをいい、配管、タンク、プールなどの水が接触する部材を含んで構成される装置及びそれを含む設備などであってよい。水は、水そのものの他、水と他の物質とを含む水性媒体であってよい。一例として、水系システムは、水冷式水冷塔を備えた冷却システムである。また、他の例として、水系システムは、配水管のような水の流通経路、例えば、ボイラーの温水配管部、及び貯湯槽より温水が供給される循環給湯管の温水配管部から選ばれる温水配管部を含んでよい。また、水系システムは、水の貯蔵槽を含んでよい。更に、水系システムの他の例としては、工業用の冷却プール、工業用の給水、貯水もしくは排水経路、排水処理設備、流湯式暖房システム、タンク、プール、浴場、ろ過設備、製紙工場の製紙設備、水族館の水槽及び水循環経路、超純水装置、養殖設備、植物工場などが挙げられる。
【００３２】
本発明の対象となる水系システムは、水との接触が生じる機構、例えば水を定期的に流通させる機構や水を循環させる機構を備えたものが好ましい。その場合、接触させる水に本発明の組成物を添加して当該水系システムを作動させて水を接触させることで、当該水系システムに発生したバイオフィルムを除去することができる。また、接触させる水は、本発明の組成物であってよく、その場合、（ａ）〜（ｃ）成分の濃度が前記範囲となるように添加量などを調整することが好ましい。
【００３３】
本発明により、水を接触させる機構、例えば水を流通及び／又は循環させる機構を備えた水系システムに発生したバイオフィルムを除去する方法であって、（ａ）成分、（ｂ）成分、（ｃ）成分及び水を含有し、ｐＨが２．５以上６．５以下である水系システム用バイオフィルム除去用組成物を、前記水系システムのバイオフィルムが発生した部分に接触させる、バイオフィルムの除去方法が提供される。この方法では、前記水系システム用バイオフィルム除去用組成物は、２０℃におけるｐＨが２．５以上６．５以下であってもよい。
この方法には、本発明の水系システム用バイオフィルム除去用組成物で述べた事項を適宜適用することができる。
水を循環させる機構でバイオフィルムが発生した場合、前記組成物を該機構で接触させることで、前記組成物をバイオフィルムが発生した部分に接触させることができる。
前記組成物の接触時間は、例えば１０分以上４８時間以下である。
接触させる前記組成物の温度は、例えば５℃以上８５℃以下である。
【００３４】
本発明の水系システム用バイオフィルム除去用組成物を水系システムに適用するに際しては、予め所定の組成物として製造したものを使用してもよいし、本発明の水系システム用バイオフィルム除去用組成物の高濃度組成物を製造したものを使用してもよい。また、（ａ）成分、（ｂ）成分、及び（ｃ）成分を個別に、又は、プレミックスしたものを、水系システム中に流通、循環もしくは滞留する水に溶解しｐＨ調整して水系システム用バイオフィルム除去用組成物として使用してもよい。（ａ）成分、（ｂ）成分、及び（ｃ）成分は、化合物によって、液体、固体、また、水溶液などの形態で供給することが可能であるが、組成物の液安定性の観点から、水系システムに適用する直前に製造するか、水系システム中に流通、循環もしくは滞留する水に溶解して本発明の組成物とすることが好ましい。
【００３５】
本発明の水系システム用バイオフィルム除去用組成物の剤型は任意であるが、例えば、打錠した固体製剤、水溶性フィルムで粉末を包装した固装製剤、媒体と混練したペースト製剤など、その対象設備に応じた使い勝手などを考慮した剤型が挙げられる。
【００３６】
＜キット＞
本発明は、（ａ）成分、（ｂ）成分、及び（ｃ）成分から選ばれる成分を含む複数の剤から構成されるキットであって、該キットは本発明の水系システム用バイオフィルム除去用組成物を製造するためのキットであり、下記（ａ）成分と下記（ｂ）成分が別の剤に含まれている、キットを提供する。
【００３７】
本発明のキットの例としては、
（１）（ａ）成分を含み（ｂ）成分を含まない剤と、（ｂ）成分及び（ｃ）成分を含み（ａ）成分を含まない剤とから構成されるキット
（２）（ａ）成分及び（ｃ）成分を含み（ｂ）成分を含まない剤と、（ｂ）成分を含み（ａ）成分を含まない剤とから構成されるキット
（３）（ａ）成分を含み（ｂ）成分を含まない剤と、（ｂ）成分を含み（ａ）成分を含まない剤と、（ｃ）成分を含む剤（この剤は任意に（ａ）成分又は（ｂ）成分を含んでよい）とから構成されるキット
が挙げられる。
【００３８】
本発明のキットでは、酸化能を有する（ａ）成分と還元剤である（ｂ）成分は分離して保存、供給するのが化合物安定性の観点から好ましく、（ｃ）成分は（ａ）成分による酸化反応を避け、製造時の水への溶解性向上の観点から、（ａ）成分を含む剤と、（ｂ）成分及び（ｃ）成分を含む剤とのキットとして供給するのが好ましい。（ａ）成分及び（ｃ）成分が固体である場合や液体であっても（ａ）成分と（ｃ）成分の反応性が低い場合には（ａ）成分及び（ｃ）成分を含む剤と、（ｂ）成分を含む剤とのキットとして供給することが可能である。キットとしては、剤の安定性、作業性の観点から、（ａ）成分を含み（ｂ）成分を含まない剤と、（ｂ）成分及び（ｃ）成分を含み（ａ）成分を含まない剤とから構成されるキットがより好ましい。（ａ）成分、（ｂ）成分、及び（ｃ）成分の具体例及び好ましい例などは、本発明の水系システム用バイオフィルム除去用組成物と同じである。本発明の水系システム用バイオフィルム除去用組成物で述べた事項は、本発明のキットに適宜適用することができる。
【００３９】
本発明のキットを構成する各剤において、（ａ）成分、（ｂ）成分、及び（ｃ）成分の含有量は、例えば、前記範囲の濃度や質量比でこれらの成分を含有する本発明の水系システム用バイオフィルム除去用組成物が製造できるような量であってよい。
【実施例】
【００４０】
＜実施例１及び比較例１＞
表１に示す水系システム用バイオフィルム除去用組成物を調製し、以下の試験を行った。結果を表１に示す。なお、表１の組成物のｐＨは、１０ｍＭ酢酸緩衝液（ｐＨ４．０にする場合）又は１０ｍＭリン酸緩衝液（ｐＨ７．０にする場合）により調整し、その後、各成分が所定の濃度になるよう調製した。また、表１の組成物は、残部が水である。
【００４１】
〔バイオフィルム除去試験（水冷塔モデル）〕
（１）バイオフィルムの作製
バイオフィルム作製には、１００ｍＬ容量の培養槽を有するアニュラーリアクター（アート科学社製）を用いた水系システムモデルを使用した。アニュラーリアクターの培養槽には、毎分１６０回転の速度で回転する円筒形の回転体が設置され、この回転体にテストピース（ＳＵＳ３０４）を予め取り付けた。化学工場の反応槽設備冷却のための水冷式水冷塔から採集した冷却水をアニュラーリアクター培養槽（３０℃に維持）に供給し、３週間培養しテストピース上にバイオフィルムを形成させた。
【００４２】
（２）バイオフィルム除去試験
表１の水系システム用バイオフィルム除去用組成物又はコントロール（超純水）５ｍＬを添加した６ｗｅｌｌプレートの各ｗｅｌｌに、バイオフィルムが形成されたテストピースを浸し、３０℃、６０ｒｐｍで１６時間振とうした。各テストピースを０．１％クリスタルバイオレットで染色した後、超純水で洗浄し、１ｍＬのエタノールで染色液を抽出し、吸光度（ＯＤ５７０）を測定した。測定したＯＤ５７０をもとに、下記式に従ってバイオフィルム除去率を測定した。尚、ブランクはエタノールのＯＤ５７０を指す。
バイオフィルム除去率（％）＝｛（コントロールＯＤ５７０−ブランクＯＤ５７０）−（実施例又は比較例のＯＤ５７０−ブランクＯＤ５７０）｝×１００／（コントロールＯＤ５７０−ブランクＯＤ５７０）
尚、本試験におけるバイオフィルム除去率は、その値が大きいほど効果が高く、４０％以上であれば、本発明の効果を顕著に実感することができる。又、本試験におけるバイオフィルム除去率の５％の差は有意差として認識でき、１０％の差はより明確な差として認識できる。
【００４３】
【表１】
2020186374.tif 000002
【００４４】
（ｃ’）成分は（ｃ）成分の比較化合物である。
・酢酸      ｐＫａ１：４．７６、Ｍｗ：６０．１
・クエン酸  ｐＫａ１：３．０９、Ｍｗ：１９２．１
【００４５】
＜実施例２及び比較例２＞
表２に示す水系システム用バイオフィルム除去用組成物を調製し、以下の試験を行った。結果を表２に示す。なお、表２の組成物のｐＨは、１０ｍＭ酢酸緩衝液又は１０ｍＭリン酸緩衝液により調整し、その後、各成分が所定の濃度になるよう調製した。また、表２の組成物は、残部が水である。
【００４６】
〔バイオフィルム除去試験（浴槽配管モデル）〕
（１）バイオフィルムの作製
バイオフィルム作製には、１００ｍＬ容量の培養槽を有するアニュラーリアクター（アート科学社製）を用いた水系システムモデルを使用した。アニュラーリアクターの培養槽には、毎分１６０回転の速度で回転する円筒形の回転体が設置され、この回転体にテストピース（ＳＵＳ３０４）を予め取り付けた。循環式浴槽から採集した浴槽水をアニュラーリアクター培養槽（４０℃に維持）に供給しつつ、汚れ負荷処理として毎日濃度が１０ｐｐｍずつ上昇するようにＲ２Ａ培地を供給水に添加し、１週間培養してテストピース上にバイオフィルムを形成させた。
【００４７】
（２）バイオフィルム除去試験
表２の水系システム用バイオフィルム除去用組成物又はコントロール（超純水）５ｍＬを添加した６ｗｅｌｌプレートの各ｗｅｌｌに、バイオフィルムが形成されたテストピースを浸し、４０℃、６０ｒｐｍで３０分間振とうした。各テストピースを０．１％クリスタルバイオレットで染色した後、超純水で洗浄し、１ｍＬのエタノールで染色液を抽出し、吸光度（ＯＤ５７０）を測定した。測定したＯＤ５７０をもとに、下記式に従ってバイオフィルム除去率を測定した。尚、ブランクはエタノールのＯＤ５７０を指す。
バイオフィルム除去率（％）＝｛（コントロールＯＤ５７０−ブランクＯＤ５７０）−（実施例又は比較例のＯＤ５７０−ブランクＯＤ５７０）｝×１００／（コントロールＯＤ５７０−ブランクＯＤ５７０）
【００４８】
【表２】
2020186374.tif 000003
【００４９】
＜実施例３＞
実施例２で作製したバイオフィルムが形成されたテストピースと、表３に示す成分を用いて調製した水系システム用バイオフィルム除去用組成物とを用いて、実施例２と同様にバイオフィルム除去試験を行った。ただし、前記組成物の残部を超純水とし、洗浄時間を６０分とした。結果を表３に示した。
【００５０】
【表３】
2020186374.tif 000004